(57)【要約】【課題】より短い作業時間でかつ構造的にも安定した状態に構築することのできるコンクリート壁面緑化構造体を提供する。【解決手段】コンクリート壁１の構築時にコンクリート壁１内に埋設されたセパレータ２３の先端に網支持部材４２を取り付ける。その網支持部材４２を利用して緑化植物Ｐを保護するための網部材２をコンクリート壁面１ａに沿って取り付ける。【選択図】図１
2010268764.tif 000002
【特許請求の範囲】
【請求項１】
コンクリート壁面緑化構造体であって、
コンクリート壁の構築時にコンクリート壁内に埋設された全部または一部のセパレータの先端に網支持部材が取り付けてあり、前記網支持部材を利用して緑化植物を保護するための網部材がコンクリート壁面に沿って取り付けてあり、コンクリート壁面と前記網部材との間に緑化植物が配置されていることを特徴とするコンクリート壁面緑化構造体。
【請求項２】
請求項１に記載のコンクリート壁面緑化構造体であって、コンクリート壁面には凹凸模様が賦形されていることを特徴とするコンクリート壁面緑化構造体。
【請求項３】
請求項１または２に記載のコンクリート壁面緑化構造体であって、セパレータと網支持部材の接続部近傍には止水処理が施されていることを特徴とするコンクリート壁面緑化構造体。
【請求項４】
請求項３に記載のコンクリート壁面緑化構造体であって、前記止水処理はパッキン材の埋め込みによって行われていることを特徴とするコンクリート壁面緑化構造体。
【請求項５】
請求項１から４のいずれか一項に記載のコンクリート壁面緑化構造体であって、コンクリート壁面の全部または一部に植物の登攀を誘引することのできる材料が設けられていることを特徴とするコンクリート壁面緑化構造体。
【請求項６】
請求項１から４のいずれか一項に記載のコンクリート壁面緑化構造体であって、コンクリート壁面の全部または一部に沿って緑化植物登攀用助材が配置されており、緑化植物は前記緑化植物登攀用助材と前記網部材との間に配置されていることを特徴とするコンクリート壁面緑化構造体。
【請求項７】
請求項１から６のいずれか一項に記載のコンクリート壁面緑化構造体であって、コンクリート壁面はブラウン系の色に着色されていることを特徴とするコンクリート壁面緑化構造体。
【請求項８】
コンクリート壁面緑化構造体の構築方法であって、
構築しようとするコンクリート壁の少なくとも屋外側となる位置にセパレータを用いて支持型枠を設置する工程、
前記支持型枠の内側にコンクリートを打設する工程、
打設したコンクリートの養生硬化後に前記支持型枠を除去する工程、
形成したコンクリート壁に沿って緑化植物または緑化植物資材を配置する工程、
形成したコンクリート壁に埋設された全部または一部の前記セパレータの先端に網支持部材を取り付ける工程、
前記網支持部材を利用して緑化植物を保護するための網部材をコンクリート壁面に沿って取り付ける工程、
とを少なくとも備えることを特徴とするコンクリート壁面緑化構造体の構築方法。
【請求項９】
請求項８に記載のコンクリート壁面緑化構造体の構築方法であって、前記支持型枠の全部または一部として、打設するコンクリートに面する側が凹凸面となっている化粧型枠を用いることを特徴とするコンクリート壁面緑化構造体の構築方法。
【請求項１０】
請求項９に記載のコンクリート壁面緑化構造体の構築方法であって、前記化粧型枠として発泡樹脂製の化粧型枠を用いることを特徴とするコンクリート壁面緑化構造体の構築方法。
【請求項１１】
請求項８から１０のいずれか一項に記載のコンクリート壁面緑化構造体の構築方法であって、前記支持型枠または化粧型枠のコンクリート打設面側に植物の登攀を誘引することのできる材料を配置しておき、該植物の登攀を誘引することのできる材料をコンクリート壁面に転写する工程をさらに含むことを特徴とするコンクリート壁面緑化構造体の構築方法。
【請求項１２】
請求項８から１１のいずれか一項に記載のコンクリート壁面緑化構造体の構築方法であって、セパレータの先端部分の近傍に止水処理を施す工程をさらに含むことを特徴とするコンクリート壁面緑化構造体の構築方法。
【請求項１３】
請求項８から１２のいずれか一項に記載のコンクリート壁面緑化構造体の構築方法であって、形成したコンクリート壁の壁面の全部または一部に緑化植物登攀用助材を配置する工程をさらに含むことを特徴とするコンクリート壁面緑化構造体の構築方法。
【発明の詳細な説明】
【技術分野】
【０００１】
本発明は、コンクリート壁面緑化構造およびその構築方法に関する。
【背景技術】
【０００２】
環境改善および省エネルギーの観点から、工場や学校などの建物において、屋上緑化と共に、壁面を緑化することが求められており、壁面緑化構造として、いくつかの提案がなされている。例えば、特許文献１には、既存のコンクリート壁面等に沿って緑化植物登攀用助材を配置し、かつコンクリート壁面にアンカーを打ち込んで、そのアンカーを利用して緑化植物を保護するための網部材を壁面に沿って取り付け、植物登攀用助材と網部材との間で、ヘデラ類のように吸着型蔓性植物を登攀させながら育成することで、壁面を緑化する技術が記載されている。登攀用助材としては、ヤシ殻繊維などが用いられている。
【先行技術文献】
【特許文献】
【０００３】
【特許文献１】特開平１１−８９４２０号公報
【発明の概要】
【発明が解決しようとする課題】
【０００４】
特許文献１に記載されるような、壁面に沿って配置した植物登攀用助材と網部材との間の空間に緑化植物が配置されている壁面緑化構造体は、網部材によって植物を保護できるので、植物が安定して生育するのを期待することができる。しかし、既存の壁面に新たにアンカーを打ち込んで、そこに網部材を取り付けるようにしており、既存の壁に損傷を与えることなくアンカーを打ち込むことのできる場所を慎重に選定する作業が求められる。そのために、アンカーの打ち込み作業に長い作業時間を必要としている。また、アンカーの打ち込み時にコンクリート壁に損傷を生じさせた場合、アンカーの止め付け強度が低下して網部材の取り付けが不安定となる恐れがある。
【０００５】
本発明は、上記の事情に鑑みてなされたものであり、より短い作業時間でかつ構造的にも安定した状態に構築することのできるコンクリート壁面緑化構造体とその構築方法を提供することを課題とする。
【課題を解決するための手段】
【０００６】
本発明によるコンクリート壁面緑化構造体は、コンクリート壁の構築時にコンクリート壁内に埋設された全部または一部のセパレータの先端に網支持部材が取り付けてあり、前記網支持部材を利用して緑化植物を保護するための網部材がコンクリート壁面に沿って取り付けてあり、コンクリート壁面と前記網部材との間に緑化植物が配置されていることを特徴とする。
【０００７】
本発明によるコンクリート壁面緑化構造体では、コンクリート壁に新たにアンカーを打ち込むことなく、コンクリート壁を構築するときにコンクリート壁内に埋設されるセパレータを利用し、その先端に網支持部材を取り付け、該網支持部材を利用して緑化植物を保護するための網部材を取り付ける。そのために、コンクリート壁面緑化構造体の構築作業を大幅に短縮することができる。また、容易に脱落することのない状態で前記網支持部材を取り付けることができる。そのために、前記網部材の取り付け態様はきわめて安定化したものとなる。
【０００８】
なお、本発明でのコンクリート壁面緑化構造体におけるコンクリート壁は、新規な建造物におけるコンクリート壁であってもよく、既存の適宜の建造物の壁面に沿って支持型枠を立て込んで追加的に構築したコンクリート壁であってもよい。
【０００９】
本発明によるコンクリート壁面緑化構造体において、コンクリート壁面は平坦な面であってもよく、多孔質化した面であってもよい。さらに、コンクリート壁面に凹凸模様が賦形されていてもよい。コンクリート壁表面を多孔質化することあるいは凹凸模様を賦形することで、例えば緑化植物が蔓生植物のような場合に、植物が登攀するのを一層助長することができる。また植物の壁面に対する付着性も安定する。
【００１０】
本発明によるコンクリート壁面緑化構造体において、好ましくは、セパレータと網支持部材の接続部近傍には止水処理が施される。止水処理を施すことにより、セパレータと網支持部材の接続部近傍から水がコンクリート壁内に入り込むのを確実に阻止することができ、コンクリート壁の耐久性が低下するのを阻止することができる。止水処理の具体的に手段は任意であるが、パッキン材を埋め込む手段、団子状としたモルタルを埋め込む手段、等を例示できる。
【００１１】
本発明によるコンクリート壁面緑化構造体の一形態において、コンクリート壁面の全部または一部に植物の登攀を誘引することのできる材料が設けられる。この態様では、コンクリート壁に沿って緑化植物が生長するのを一層確実に補助することができる。植物の登攀を誘引することのできる材料としては、コンクリート壁面に付着させた、発泡樹脂、砂、火山礫、軽石、人工軽量骨材等の粒子状材料、保水性を有するセラミック材、等を例示することができる。
【００１２】
本発明によるコンクリート壁面緑化構造体の一形態において、コンクリート壁の壁面の全部または一部に沿って緑化植物登攀用助材が配置され、緑化植物は前記緑化植物登攀用助材と前記網部材との間に配置される。緑化植物登攀用助材には、植物が登攀しやすい材料の具体例として、ヤシ殻繊維や発泡ポリスチレンシートや綿シートが挙げられる。さらに、緑化植物登攀用助材は、ポリエステル、ポリアミド、ポリプロピレン、ポリエチレンなどの発泡シートであってもよく、発泡モルタルや発泡ウレタン樹脂なども例として挙げられる。上記した材料は多孔性であり、それを利用して、緑化植物は助材に張り付いた状態で、迅速に登攀していくことができる。
【００１３】
本発明によるコンクリート壁面緑化構造体の一形態において、コンクリート壁の壁面はブラウン系に着色される。この態様では、植物でコンクリート壁面が覆われるまでは、地肌色のコンクリート壁と比較して、周辺の景観と調和した状態を作り出すことができ、コンクリート壁面が植物で覆われた後には、植物の緑とブラウン系色相とにより、色彩の相乗効果を期待することができる。
【００１４】
本発明は、さらに、上記のコンクリート壁面緑化構造体の構築方法として、構築しようとするコンクリート壁の少なくとも屋外側となる位置にセパレータを用いて支持型枠を設置する工程、前記支持型枠の内側にコンクリートを打設する工程、打設したコンクリートの養生硬化後に前記支持型枠を除去する工程、形成したコンクリート壁に沿って緑化植物または緑化植物資材を配置する工程、形成したコンクリート壁に埋設された全部または一部の前記セパレータの先端に網支持部材を取り付ける工程、前記網支持部材を利用して緑化植物を保護するための網部材をコンクリート壁面に沿って取り付ける工程、とを少なくとも備えることを特徴とするコンクリート壁面緑化構造体の構築方法を開示する。
【００１５】
上記の構築方法では、コンクリート壁を構築するときに支持型枠とともに配置されるセパレータの先端に取り付けた網支持部材を利用して、緑化植物を保護するための網部材をコンクリート壁面に沿って取り付けるようにしており、従来のコンクリート壁面に新たにアンカーを打ち打ち込んで、そこに網部材を取り付ける構築方法と比較して、施工を短縮化することができる。また、網支持部材がコンクリート壁に堅固に固定されたコンクリート壁面緑化構造体が得られる。
【００１６】
本発明によるコンクリート壁面緑化構造体の構築方法の一態様において、前記支持型枠の全部または一部として、打設するコンクリートに面する側が凹凸面となっている化粧型枠を用いる。前記化粧型枠は任意の材料で作ることができるが、成形性や取り扱い性の便から発泡樹脂製の化粧型枠であることが望ましい。この態様では、前記化粧型枠が持つ表面凹凸模様をコンクリート壁面に転写することができ、構築されるコンクリート壁面には凹凸模様が賦形される。
【００１７】
本発明によるコンクリート壁面緑化構造体の構築方法の一態様において、前記支持型枠または化粧型枠のコンクリート打設面側に植物の登攀を誘引することのできる材料を積層あるいは付着あるいは塗布等の手法により配置しておき、該植物の登攀を誘引することのできる材料をコンクリート壁面に転写する工程をさらに含むようにしてもよい。用いる植物の登攀を誘引することのできる材料としては、発泡樹脂、砂、火山礫、軽石、人工軽量骨材等の粒子状材料、保水性を有するセラミック材、等を例示することができる。また、前記支持型枠または化粧型枠のコンクリート打設面側に染料や顔料を塗布しておき、それをコンクリート壁表面に転写するようにしてもよい。そのような手法の具体例は、例えば、特開平６−９２７５７号公報等に記載されている。
【００１８】
本発明によるコンクリート壁面緑化構造体の構築方法の一態様において、前記セパレータの先端部分の近傍に止水処理を施す工程をさらに含む。止水処理を施すことにより、セパレータと網支持部材の接続部近傍から水がコンクリート壁内に入り込むのを確実に阻止することができ、コンクリート壁の耐久性が低下するのを阻止することができる。
【００１９】
本発明によるコンクリート壁面緑化構造体の構築方法の一態様において、形成したコンクリート壁面の全部または一部に沿って緑化植物登攀用助材を配置する工程をさらに含む。用いる緑化植物登攀用助材の具体例は、前記コンクリート壁面緑化構造体の説明において記載したとおりである。
【００２０】
本発明におけるコンクリート壁面緑化構造およびその構築方法において、緑化植物をコンクリート壁面と網部材との間に配置する態様には特に制限はなく、任意の手法で配置すればよい。コンクリート壁の下端部近傍の土壌にコンクリート壁面に沿って直接植物を植え込み、その植物の生長によってコンクリート壁面の緑化を行うようにしてもよく、コンクリート壁に沿って緑化植物資材を配置し、その緑化植物資材から成長する植物によってコンクリート壁面の緑化を行うようにしてもよい。そのような緑化植物資材をコンクリート壁面の上下方向に多段に配置することもできる。
【００２１】
緑化植物資材には、植物を植え込んだポット、あるいはヤシ殻繊維のような植物繊維の集成体に植物が予め植裁されている植裁基材、等が例示できる。使用する植物も任意であるが、ヘデラカナリエンシスに代表されるような登攀性植物は好ましい。また、蔓性植物も好ましい。
【発明の効果】
【００２２】
本発明によれば、コンクリート壁に沿った緑化構造体をより短い作業時間でかつ構造的にも安定した状態に構築することができる。
【図面の簡単な説明】
【００２３】
【図１】本発明によるコンクリート壁面緑化構造の一形態を説明する図。
【図２】コンクリート壁のためのコンクリート打ち込み用型枠を説明する図。
【図３】図２に示す打ち込み型枠の要部断面図。
【図４】図１に示すコンクリート壁面緑化構造の要部断面図。
【図５】本発明によるコンクリート壁面緑化構造の他の形態における要部断面図。
【図６】コンクリート壁のためのコンクリート打ち込み用型枠の他の例を説明する図。
【図７】図６に示す打ち込み型枠の要部断面図。
【図８】本発明によるコンクリート壁面緑化構造のさらに他の形態における要部断面図。
【発明を実施するための形態】
【００２４】
以下、本発明によるコンクリート壁面緑化構造を実施の形態に基づき説明する。
図１に示す形態において、コンクリート壁面緑化構造１０は、学校や工場などの建物のコンクリート壁１の壁面表面に沿うようにして作られる。コンクリート壁１の壁面１ａから所定の距離を置いて、壁面に沿うようにして金網等である網部材２が所要面積にわたって取り付けてあり、緑化植物Ｐはコンクリート壁１の壁面１ａと網部材２との間に配置される。この例において、緑化植物Ｐはコンクリート壁１の下端部近傍に置かれたプランターのような緑化植物資材３に植え込まれた蔓性植物であり、壁面１ａに沿うようにして上方および側方に成長している。
【００２５】
前記網部材２は、コンクリート壁１を構築するときに用いられた後記するセパレータ２３の先端に取り付けた網支持部材４２を利用して、コンクリート壁１の壁面１ａに沿うようにして、しっかりと取り付けられている。以下、その取り付け態様について説明する。
【００２６】
図２は、通常のコンクリート壁を作るときのコンクリート打ち込み用型枠２０の一例を示す。このコンクリート打ち込み用型枠２０は従来知られたものであってよく、図示の例では、合板等からなる屋内側支持型枠２１および屋外側支持型枠２２が、セパレータ２３によって所定の距離を確保した状態で立てられている。すなわち、図３に屋外側支持型枠２２側を断面で示すように、セパレータ２３の端部にはピーコン２４のような連結材の一端が螺合され、該ピーコン２４の他端には短い軸２５が螺合される。短い軸２５は屋外側支持型枠２２を貫通して外側に飛び出ており、そこにフォームタイ２６が螺合される。屋内側支持型枠２１においても同様な構成となっている。
【００２７】
屋内側支持型枠２１および屋外側支持型枠２２の外側には、縦締鋼管２７および横締鋼管２８がそれぞれ建て込まれており、締め金具２９、２９をフォームタイ２６、２６に差し込み、ねじ３０、３０で締め付けることによって、屋内側支持型枠２１と屋外側支持型枠２２のとの間には、セパレータ２３の長さに規定される横幅であるコンクリート流し込み用空間３１が形成される。なお、図において、３２は必要に応じて設けられる配筋である。
【００２８】
コンクリート壁１の構築に当たっては、前記コンクリート流し込み用空間３１に現場打ちコンクリートＣを打設して養生硬化させる。コンクリートＣの養生硬化後、締め金具２９を外し、縦締鋼管２７および横締鋼管２８を除去し、さらにフォームタイ２６を取り外す。それにより、屋内側支持型枠２１および屋外側支持型枠２２を取り外すことが可能となり、支持型枠を取り外すことにより、コンクリート壁１が形成される。本発明においては、少なくとも屋外側支持型枠２２を取り外した後、前記ピーコン２４と短い軸２５とを、セパレータ２３から分離する。
【００２９】
ピーコン２４と短い軸２５とを分離した後、図４に示すように、形成された空洞部３３に止水パッキン４０を埋め込むとともに、前記セパレータ２３の先端に長ナット４１の一端を螺合し、該長ナット４１の他端に、所定長さの網支持部材４２の一端を螺合する。それにより、網支持部材４２はコンクリート壁１内に埋め込まれたセパレータ２３の先端にしっかりと固定される。必要な場合には、前記に空洞部３３内に、モルタル４３のような他の止水材を埋め込む。
【００３０】
そのようにして必要本数の網支持部材４２を固定した後、緑化植物を保護するための前記した例えば金網等である網部材２を、該網支持部材４２の先端に取り付けた適宜の留め金具４４を利用して、コンクリート壁１の壁面に沿って取り付ける。なお、前記した網支持部材４２の固定は、コンクリート壁１内に埋め込まれたセパレータ２３のすべてに対して行うことが必要となる場合もあり、緑化すべき領域や前記網部材２を固定するのに必要となる場所を考慮して、セパレータ２３の一部に対してのみ行う場合もある。
【００３１】
上記のようにして網部材２を取り付けた後、図１に示すように、緑化植物Ｐをコンクリート壁１の壁面１ａと網部材２との間で成長させることにより、本発明によるコンクリート壁面緑化構造体１０が形成される。
【００３２】
なお、上記の説明では、前記したピーコン２４を除去したことにより形成された空洞部に止水パッキン４０とモルタル４３のような他の止水材を埋め込むことにより、コンクリート内部への水の浸入を阻止するようにしたが、モルタル４３のみで止水処理を行うこともできる。また、上記の説明では、ピーコン２４と短い軸２５とをセパレータ２３から分離した後、別部材である長ナット４１と網支持部材４２を取り付けたが、ピーコン２４の強度等の物性が許す場合には、ピーコン２４を取り外すことなくそのまま利用し、短い軸２５を除去した後のねじ穴に、網支持部材４２を取り付けるようにしてもよい。さらに、寸法等が許容する場合には、ピーコン２４を取り外すことなく、かつそこに螺合されている前記短い軸２５を、網支持部材４２として利用することもできる。その場合でも、セパレータ２３と網支持部材として用いられる短い軸２５の接続部近傍には適宜の止水処理を施すことは望ましい。
【００３３】
また、図示の例では、セパレータ２３と短い軸２５と接続をピーコン２４を用いて行う例を示したが、セパレータ２３と短い軸２５との接続はこれに限らず、従来のコンクリート打ち込み用型枠の構築において用いられている任意の接続手段を用いることができる。例として、チューブコーンや長ナットなどを用いる接続手段が挙げられる。
【００３４】
図５は、本発明によるコンクリート壁面緑化構造体１０の他の例を示す、図４に相当する図である。ここでは、コンクリート壁１の壁面１ａに沿って、例えばヤシ殻繊維などである緑化植物登攀用助材４５が配置されている点で、図１から図４を用いて説明したものと相違する。他の構成は同じであってよく、同じ符号を付している。この緑化植物登攀用助材４５は、前記した網支持部材４２を利用して、コンクリート壁１の壁面１ａに対してしっかりと固定することもできる。
【００３５】
この形態のコンクリート壁面緑化構造体１０では、緑化植物Ｐは緑化植物登攀用助材４５と網部材２との間に配置され、そこで成長することとなるが、成長時に、緑化植物Ｐは緑化植物登攀用助材４５に張り付いた状態で、迅速に登攀していくことができるので、より安定したコンクリート壁面緑化構造体とすることができる。
【００３６】
また、コンクリート壁１の壁面１ａを、適宜の手段でブラウン系に着色するようにしてもよい。この態様では、緑化植物Ｐでコンクリート壁面１ａが十分に覆われるまで、地肌色のコンクリート壁の場合と比較して、周辺の景観と調和した状態を作り出すことができる利点がある。また、コンクリート壁面１ａが緑化植物Ｐで覆われた後には、植物の緑とブラウン系色相とにより、色彩の相乗効果を期待することができる。
【００３７】
図６から図８は、本発明によるコンクリート壁面緑化構造体１０のさらに他の形態を説明している。ここでは、コンクリート壁１を構築するのに、例えば特開平６−９２７５７号公報に記載されるような、発泡樹脂製の化粧型枠５０を用いるようにしている。化粧型枠５０は、構築するコンクリート壁１の壁面１ａに適宜の凹凸模様を賦形するのに用いられるものであり、化粧型枠５０の打設コンクリートに面する側には、壁面に形成しようとする凹凸模様と逆の凹凸が形成された凹凸模様面５１とされている。図６に示すように、化粧型枠５０は凹凸模様面５１を内側として、コンクリート打ち込み用型枠１０における屋外側支持型枠２２の内側に取り付けられる。なお、図６に示すコンクリート打ち込み用型枠１０は、前記化粧型枠５０を備えることを除き、図２に示したコンクリート打ち込み用型枠１０と同じ構成であり、同じ部材には同じ符号を付し、説明は省略する。
【００３８】
図７は、前記化粧型枠５０を用いた場合での、コンクリート打ち込み後の状態の一部の断面を示す、図３に相当する図である。図示のように、打設したコンクリートの表面には、化粧型枠５０の凹凸模様面５１の凹凸が賦形される。そして、図８に示すように、支持型枠２１，２２および化粧型枠５０を取り外した後のコンクリート壁１における化粧型枠５０を除去した側の壁面１ｂには、凹凸模様が形成される。
【００３９】
図８は、図４に相当する図であり、このコンクリート壁１に対して、先に図４に基づき説明したと同様にして、セパレータ２３の先端に長ナット４１の一端を螺合し、該長ナット４１の他端に、所定長さの網支持部材４２の一端を螺合し、さらに、該網支持部材４２の先端に網部材２をコンクリート壁１の壁面に沿って取り付ける。網部材２を取り付けた後、図１に示すように、緑化植物Ｐをコンクリート壁１の壁面１ａと網部材２との間で成長させることにより、本発明によるコンクリート壁面緑化構造体１０が形成される。
【００４０】
この形態のコンクリート壁面緑化構造体１０では、コンクリート壁１の壁面１ｂに凹凸形状が賦形されているために、緑化植物Ｐはその凹凸面を利用して迅速に登攀していくことができる。そのために、より安定したコンクリート壁面緑化構造体１０とすることができる。
【００４１】
図示しないが、化粧型枠５０を用いる態様の変形例として、化粧型枠５０として、その凹凸模様面５１に、緑化植物Ｐの登攀を誘引することのできる材料を積層あるいは付着あるいは塗布等の手法により配置したものを用いる態様が挙げられる。打設コンクリートの養生硬化後に化粧型枠５０を取り外すと、凹凸模様面５１に配置してあった前記材料は、コンクリート壁１の壁面１ｂ側に転写され、それにより、コンクリート壁面は、緑化植物にとって一層成長しやすい面となっている。また、化粧型枠５０の凹凸模様面５１に、好ましくはブラウン系色相の染料や顔料を塗布しておき、それをコンクリート壁表面に転写することもできる。より具体的には、例えば、前記した特開平６−９２７５７号公報等に記載されるようなコンクリートの着色方法によって、前記転写方法を行うことができる。
【００４２】
また、図示しないが、必要な場合には、凹凸面となったコンクリート壁面に沿って、前記した緑化植物登攀用助材４５を貼り付けるようにしてもよい。
【符号の説明】
【００４３】
Ｐ…緑化植物、
１…コンクリート壁、
１ａ、１ｂ…コンクリート壁の壁面、
２…網部材、
３…緑化植物資材、
１０…コンクリート壁面緑化構造、
２０…コンクリート打ち込み用型枠、
２１…屋内側支持型枠、
２２…屋外側支持型枠、
２３…セパレータ、
３１…コンクリート流し込み用空間、
３３…空洞部、
４０…止水パッキン、
４１…長ナット、
４５…緑化植物登攀用助材、
５０…化粧型枠、
５１…化粧型枠の凹凸模様面。
【図１】
2010268764.tif 000003
【図２】
2010268764.tif 000004
【図３】
2010268764.tif 000005
【図４】
2010268764.tif 000006
【図５】
2010268764.tif 000007
【図６】
2010268764.tif 000008
【図７】
2010268764.tif 000009
【図８】
2010268764.tif 000010